(57)【要約】      （修正有）【課題】  背景として使用されるカーテン背景手段のの細かい模様や風合いが鮮明に写し出された写真や、カメラが利用者に対して近付いたり、遠ざかったりしながら撮影したかのような組み合わせの写真の撮影を可能とする自動写真撮影装置を提供する。【解決手段】  被写体を収容するスペースを有する撮影ブース３０と、撮影ブース３０内の被写体を撮影するための少なくとも一の撮影手段と、撮影手段の撮影視野内への展開と収納を可能とされたカーテン４３ａ、ｂを有し、撮影手段からの距離が小さい近位置と撮影手段からの距離が大きい遠位置との間で移動可能とされた背景手段とを設ける。【選択図】図１
2006154194.tif 000002
【特許請求の範囲】
【請求項１】
被写体を収容するスペースを有する撮影ブースと、前記撮影ブース内の被写体を撮影するための少なくとも一の撮影手段と、前記撮影手段からの距離が小さい近位置と前記撮影手段からの距離が大きい遠位置との間で移動可能とされた背景手段とを備えることを特徴とする自動写真撮影装置。
【請求項２】
前記背景手段が、前記近位置から前記遠位置に向けて延びる軌道上に設置されていることを特徴とする請求項１に記載の自動写真撮影装置。
【請求項３】
前記背景手段を前記軌道上において駆動するための駆動手段と、前記撮影手段による写真撮影に同期して前記駆動手段を制御する制御手段とを更に備えることを特徴とする請求項１又は２に記載の自動写真撮影装置。
【請求項４】
前記背景手段は、前記撮影手段の撮影視野内への展開と収納を可能とされたカーテンを有することを特徴とする請求項１〜３のいずれか一項に記載の自動写真撮影装置。
【請求項５】
前記カーテンは、前記撮影ブースの天井部にロール状に巻かれて収納されることを特徴とする請求項４に記載の自動写真撮影装置。
【請求項６】
前記カーテンの撮影視野内への展開と、撮影視野内からの収納が、前記カーテンを支持する中心軸材を回転駆動することにより行われることを特徴とする請求項５に記載の自動写真撮影装置。
【請求項７】
前記背景手段は、前記カーテンを複数備えることを特徴とする請求項４〜６のいずれか一項に記載の自動写真撮影装置。
【発明の詳細な説明】
【技術分野】
【０００１】
本発明は、撮影ブース内において被写体の写真を撮影する自動写真撮影装置に関し、特に、撮影手段から背景手段までの距離を変更することが可能とされた自動写真撮影装置に関する。
【背景技術】
【０００２】
従来より、撮影ブース内に向けて設置されたＣＣＤカメラなどの撮影手段により被写体の画像を撮影し、当該画像を写真としてユーザに提供する自動写真撮影装置が知られている。
【０００３】
このような自動写真撮影装置には、撮影ブースの背面部に、撮影視野内への展開と収納が可能とされた、様々な配色、模様や色彩が施され、或いは、素材などが異なる複数のたカーテンや板状の背景部材などの背景手段を複数準備設置することで、多様な背景を使用した写真撮影を行うことが可能とされているものがある。
【０００４】
しかしながら、利用者の全身写真の撮影を可能にするためには、カメラと利用者の立ち位置の間にある程度の距離を確保する必要があり、撮影の際の背景として使用するカーテン背景手段は、必然的にその場合の立ち位置よりもカメラから離れた位置に配置されることになる。
【０００５】
このため、カーテン背景手段に細かい模様が施されていたり、背景手段カーテンに独特の風合いの素材が使用されている場合であっても、撮影された写真からは、その模様や風合いが識別できない場合があった。
【０００６】
また近年では、一連の写真撮影（撮影セッション）をプログラム制御で自動的に進行させながら、写真撮影毎に、利用者に対して立ち位置やポーズなどを指示するナレーションを再生することで、スタジオでカメラマンによる写真撮影が行われているような雰囲気を演出するようにされた自動写真撮影装置も知られている。
【０００７】
このような自動写真撮影装置では、利用者を撮影ブースの後方に移動させて行う全身写真の撮影と、利用者を撮影ブースの前方に移動させて行うアップ写真の撮影を組み合わせて撮影セッションを進行させるなど、利用者に飽きが来ないための工夫がなされているが、全身写真の場合は利用者と背景手段カーテンの距離が常に近くなり、逆に、アップ写真の場合は利用者と背景手段カーテンの距離が常に遠くなるなどの制約があるために、撮影される写真に一層のバリエーションを持たせることができなかった。。
【特許文献１】特開２０００−２６７１７９号公報
【特許文献２】特開２００３−１７７４６２号公報
【発明の開示】
【発明が解決しようとする課題】
【０００８】
本発明は、上記の状況に鑑みてなされたものであり、背景手段背景として使用されるカーテンに施された細かい模様やカーテンの風合いなどを鮮明に識別することが可能な写真を撮影できる自動写真撮影装置を提供することをその課題とする。
【０００９】
また本発明は、背景手段として使用するカーテンなどの枚数を増加させることなく、写真撮影の際の背景の雰囲気をより多様に変化させることができる自動写真撮影装置を提供することをもその課題とする。
【００１０】
また本発明は、カーテンの本数を増加させることなく、写真撮影の際の背景の雰囲気をより多様に変化させることができる自動写真撮影装置を提供することをもその課題とする。
また本発明は、カーテン背景手段と利用者との距離を変えることなく、利用者の全身写真、および、アップ写真の撮影を可能とし、これにより、カメラが利用者に対して近付いたり、遠ざかったりしながら撮影したかのような組み合わせの写真を撮影できる自動写真撮影装置を提供することをもその課題とする。
【課題を解決するための手段】
【００１１】
本発明は、上記の問題点を解決したものであり、被写体を収容するスペースを有する撮影ブースと、前記撮影ブース内の被写体を撮影するための少なくとも一の撮影手段と、前記撮影手段の撮影視野内への展開と収納を可能とされたカーテンを有し、前記撮影手段からの距離が小さい近位置と前記撮影手段からの距離が大きい遠位置との間で移動可能とされた背景手段とを備えることを特徴とする自動写真撮影装置である。
【００１２】
即ち、本発明における撮影自動写真撮影装置で手段は、背景手段が、撮影視野内への展開と収納が可能とされたカーテンを有する背景手段が、撮影手段からの距離が小さい近位置と、当該近位置よりも撮影手段からの距離が大きい遠位置との間で移動可能とされているために、利用者を撮影ブースの後方に位置させて行う全身写真の撮影と、利用者を撮影ブースの前方に位置させて行うアップ写真の撮影を、ともに、背景手段を遠位置とした状態で行うことができることに加えて、利用者を撮影ブースの前方に移動させて行うアップ写真の撮影を、背景手段を近位置とした状態で行うことも可能となり、撮影のバリエーションを従来より高めることができる。
【００１３】
また、背景手段を近位置とした状態での撮影が可能となるために、従来の装置で撮影された写真では識別できなかったような、背景手段に施されたカーテンの細かい模様や質感が鮮明に映し出された写真の撮影が可能となる。
【００１４】
更には、利用者を撮影ブースの後方に位置させ、背景手段を遠位置とした状態での全身写真の撮影と、利用者を撮影ブースの前方に位置させ、背景手段を近位置とした状態でのアップ写真の撮影とを組み合わせて行うことで、カメラマンによる撮影のように、カメラが利用者に近付いたり、遠ざかったりしながら撮影したかのような組み合わせの写真を得ることが可能となる。
【００１５】
また、本発明の背景手段は、近位置から遠位置に向けて延びる軌道上に設置されたものとすることが可能であり、これにより、近位置と遠位置の間での背景手段の移動を円滑に行うことが可能となる。
【００１６】
また、本発明の自動写真撮影装置は、背景手段を軌道上において駆動するための駆動手段と、撮影手段による写真撮影に同期して駆動手段を制御する制御手段とを更に備えるものとすることも可能である。
【００１７】
また、本発明の背景手段は、撮影視野内への展開と収納を可能とされたカーテンを有するものとすることが可能であり、これにより、背景の切替を容易に行うことが可能となる。
【００１８】
また、上記背景手段が備えるカーテンは、撮影ブースの天井部にロール状に巻かれて収納されるものとし、カーテンの撮影視野内への展開と、撮影視野内からの収納が、カーテンを支持する支持部材を回転駆動することにより行われるものとすることも可能である。
【００１９】
また、本発明の背景手段を、例えば、模様、色彩、素材などがそれぞれ異なる複数のカーテンを備えるものとすることにより、背景の多様性を一層高めることが可能となる。
【発明を実施するための最良の形態】
【００２０】
以下、本発明の実施の形態を、添付図面を参照して説明する。
【００２１】
図１は、本発明の一実施形態に係る自動写真撮影装置１の内部構造を示す一部切り欠き側面説明図であり、図２、３は、それぞれ同装置１の筐体１０の正面図、及び、背面図であり、図４は、同装置１が備える本発明の背景手段である背景ユニット４０の底面図である。
【００２２】
図１に示されるように、自動写真撮影装置１は、筐体１０と、撮影ブース３０より構成されており、筐体１０には、撮影ブース３０内に位置する利用者の写真画像を撮影するための第１、第２のＣＣＤカメラ１１、１２、撮影した画像を印刷して写真プリントを利用者に提供するプリンタ７２、及び、後述のパーソナルコンピュータ６０などが設けられている。
【００２３】
また、図１中の１３、１４は液晶モニタ、及び、ハーフミラーであり、ハーフミラー１４は、液晶ディスプレイ１３上の画像を表示窓１５方向に反射するとともに、表示窓１５からの利用者の像を第１のＣＣＤカメラ１１方向に透過させる働きを有し、表示窓１５からの液晶ディスプレイ１３上の画像の鑑賞と、表示窓１５正面に位置する利用者の第１のＣＣＤカメラ１１からの撮影とを可能とするものである。
【００２４】
また、筐体１０の正面には、フラッシュライト１６、１７、及び、フラッシュライトを拡散させるための拡散窓１８、１９が設けられ、後述の撮影セッションにおける必要な照明が行われるようにされている。
【００２５】
また、図２に示されるように、筐体１０正面には、上述の表示窓１５、第２のＣＣＤカメラ１２、拡散窓１８、１９の他、第１、第２のＣＣＤカメラ１１、１２によるリアルタイムの撮影画像を表示するモニタ２０、２１、各種操作を入力するためのカーソルキーや決定ボタンなどからなる操作パネル２２、コイン投入を受け入れるコイン投入口２３、及び、効果音や利用者に対するインストラクションなどを再生するためのスピーカ２４が設けられている。
【００２６】
また、図３に示されるように、筺体１０の背面には、ＣＣＤカメラ１１、１２により撮影した画像に対する編集の操作を行うためのタッチパネル式モニタ２５と、２本のタッチペン２８ａ、２８ｂが設けられている。
【００２７】
タッチパネル式モニタ２５は、透明なタッチパネル２６を液晶ディスプレイ２７上に積層したものであり、液晶ディスプレイ２７上におけるタッチペン２８ａ、２８ｂの操作位置を検知することにより、液晶ディスプレイ２７上に表示される画像に対する編集入力を可能とするものである（図６参照）。
【００２８】
また、タッチパネル式モニタ２５のやや上方両側に、編集入力の操作を行っている利用者に向けて効果音やインストラクションを出力するためのスピーカ２９が設けられている。
【００２９】
撮影ブース３０は、遮光性の板乃至シートで形成された天井部３１、背面部３２を備え、更に、撮影ブース３０の筐体１０から背面部３２に至る両側面には不図示の側壁、及び、出入り口が設けられ、これら筐体１０、天井部３１、背面部３２、及び、両側壁に囲われた空間に、利用者を収容する撮影スペースが形成されている。
【００３０】
また、撮影ブース３０の天井部３１には、筐体１０に近い側（前方）から遠い側（後方）に向けて延びる軌道３３が撮影ブース３０の幅方向に２本平行に設置されており、この軌道３３上には、軌道３３に沿って前後に移動可能とされた背景ユニット４０が載置されている。
【００３１】
この背景ユニット４０は、４本の車輪４１が不図示のモータにより駆動されて軌道３３上を自走するようになっており、図１において実線で示される背景ユニット４０の位置（遠位置）と破線で示される背景ユニット４０の位置（近位置）との間の任意の位置に移動させることが可能となっている。
【００３２】
また、背景ユニット４０には、中心軸材上にロール状に巻かれた２本のカーテン４３ａ、ｂが、それぞれの中心軸材を横梁部材４２ａ、ｂに軸支されて収容されており、これらのカーテン４３ａ、ｂは、それぞれの中心軸材をモータ４４ａ、ｂにより回転させることで、ＣＣＤカメラ１１、１２の撮影視野内に展開させ、或いは、撮影視野範囲外に収納することが可能となっている。
【００３３】
また、ロール状に巻かれたカーテン４３ａ、ｂの僅かに下方位置には、撮影ブース３０の左側壁側において、発光素子４５ａ、ｂ、受光素子４６ａ、ｂよりなる２組の左側光センサーが取り付けられており、また、撮影ブース３０の右側壁側において、発光素子４７ａ、ｂ、受光素子４８ａ、ｂよりなる２組の右側光センサーが取り付けられている。
【００３４】
なお、図４中の４９ａ、ｂは、カーテン４３ａ、ｂの揺れを規制して鉛直下方に垂下させるためのガイドである。
【００３５】
図５（ａ）、（ｂ）は、展開状態にあるカーテン４３ａ、ｂの形状、及び、これに施された模様とともに、展開状態にあるカーテン４３ａ、ｂに対する、左側光センサー、及び、右側光センサーの設置位置Ｐ１、Ｐ２を示している。なお、カーテン４３ａ、ｂの素材としては、例えば、レーヨン、アクリル、ポリエステルなどの通常のカーテン素材を使用することができ、また、メッシュやキルティングなど、独特の素材感を有する生地のカーテンを使用することができる。
【００３６】
図示されるように、カーテン４３ａ、ｂは、それぞれ、展開された状態でＣＣＤカメラ１１、１２の撮影視野、又は、画角に対して十分な大きさの矩形形状を有しており、また、その左側上方部の左側光センサーの設置位置Ｐ１に対応する部分には、切り欠き部（光が通過できるようにした部分）５０が形成されている。
【００３７】
従って、カーテン４３ａ、ｂが展開した状態では、Ｐ１の位置に設置された発光素子４５ａ、ｂから受光素子４６ａ、ｂへの光が、当該切り欠き部５０を通過できるようになっている一方、カーテン４３ａ、ｂが巻き取られている途中では、発光素子４５ａ、ｂからの光はカーテンの素材により遮断され、カーテン４３ａ、ｂの下端が左側光センサーの設置位置Ｐ１よりも高い位置まで巻き取られると、上記光が再び受光素子４６ａ、ｂに通過できるようになる。
【００３８】
これに対して、Ｐ２の位置に設置された右側光センサーの発光素子４７ａ、ｂからの光は、カーテン４３ａ、ｂの下端がＰ２よりも下方に位置している間は常に遮断され、これよりも上方まで巻き取られている場合にのみ、受光素子４８ａ、ｂに受光されるようになっている。
【００３９】
従って、左側光センサー、及び、右側光センサーの双方において受光が検知される場合には、カーテン４３ａ、ｂの収納が完了した状態にあり、左側光センサーにおいて受光が検知される一方で、右側光センサーにおいて受光が検知されない場合には、カーテンの展開が完了した状態にあるとの判断を行うことが可能となる。
【００４０】
図６は、自動写真撮影装置１のシステム構成を示す説明図である。
【００４１】
パーソナルコンピュータ６０は、バス６１により相互に接続されるＣＰＵ６２、ＲＯＭ６３、ＲＡＭ６４、インターフェース（Ｉ／Ｆ）６５を備えている。インターフェース６５にはハードディスク６６、ＣＤ−ＲＯＭドライブ６７とともに、後述の各種外部機器が接続されている。
【００４２】
ハードディスク６６には、自動写真撮影装置１の全体の動作、処理等を制御するためのプログラムや、液晶ディスプレイ１３、２７、スピーカ２４、２９から映像、音響を再生するための映像データ、及び、音響データの他、撮影セッションにおいて撮影された画像データ、編集セッションにおいて使用される各種の編集用画像、演出画像などが記憶される。
【００４３】
ＲＯＭ６３は、パーソナルコンピュータを制御するための基本的なプログラムを格納している。
【００４４】
ＲＡＭ６４は、編集対象の画像や、利用者が入力した編集の内容などの作業データを一時的に記憶するものである。
【００４５】
インターフェース６５には、更にＣＣＤカメラ１１、１２、液晶ディスプレイ１３、操作パネル２２、タッチパネル式モニタ２５、タッチペン２８ａ、２８ｂ、背景ユニット４０を自走させるためのモータや、カーテン４３ａ、ｂの展開、収納を行うためのモータ４４ａ、ｂの動作を制御するためのモータ制御装置６８、フラッシュライト１６、１７などの照明を制御する照明制御装置６９、スピーカ２４、２９に接続された音響制御装置７０、コイン処理部７１、プリンタ７２などの外部機器が接続されており、ＣＰＵ６２とこれら各機器との間における信号の授受が可能とされている。
【００４６】
図７は、自動写真撮影装置１の全体の動作を説明するフローチャートである。
【００４７】
コイン処理部７１から所定金額のコイン検知信号をＣＰＵ６２が受信した場合、ＣＰＵ６２は、「撮影を始めるよ。撮影の後は、右のブースで落書きだよ」のようなプレイ説明をディスプレイ１３に表示させ（ステップＳ１）、撮影セッションを開始させる。
【００４８】
撮影セッションに入ると、ディスプレイ１３上には、図８（ａ）に示すような撮影モード選択画面８０が表示されて利用者による撮影モード選択の受付が行われる（ステップＳ２）。
【００４９】
撮影モード選択画面８０には、図示されるように、利用者がマニュアルで背景のセッティングを指定しながら撮影を行う「マニュアルモード」と、プログラム制御で自動的に背景のセッティングや写真撮影が進行する「オートモード」の選択肢が表示されている。この撮影モード選択画面８０では、選択状態の選択肢が反転表示で示されており、操作パネル２２のカーソルボタンを用いていずれかの選択肢を選択状態とし、操作パネル２２の決定ボタンを押すなどによりその選択を確定できるようになっている。
【００５０】
ステップＳ２において「オートモード」が選択された場合には、モータ制御装置６８は、ハードディスク６６に記録されたプログラムに従って、背景ユニット４０を近位置と遠位置の間の所定の位置に移動させるとともに、背景ユニット４０の位置に応じた利用者の立ち位置を指示するインストラクションをスピーカー２４から出力させ、同時に、予め定められたカーテン４３ａ、４４ｂを撮影視野内に展開させることで背景のセッティングを行う（ステップＳ３）。
【００５１】
この間、ＣＣＤカメラ１１、１２により撮影されたスルーの映像が、液晶モニタ２０、２１に表示されており、利用者は、この映像により自身のポーズを確認することができる。
【００５２】
ＣＰＵ６２は、左側光センサー、及び、右側光センサーからの信号により、背景のセッティングの完了を検知すると、「３、２、１」のようなカウントダウン音声をスピーカ２４から出力させた後に、フラッシュライト１６、１７を発光させるとともにＣＣＤカメラ１１、１２による写真撮影を実行し、撮影された画像をハードディスク６６に記録する（ステップＳ４）。
【００５３】
「オートモード」における撮影セッションでは、所定回数、例えば、７回の写真撮影が実行されるようになっており、ステップＳ５において、ＣＰＵ６２が所定回数の写真撮影が実行済みであると判断した場合には、撮影セッションは終了し、実行済みでなければ、次回の撮影のために、処理はステップＳ３に戻されて、前回とは異なる態様での背景のセッティングが行われる。
【００５４】
ステップＳ２において、「マニュアルモード」の選択肢が選択された場合には、ＣＰＵ６２は、ディスプレイ１３上に背景指定画面８１を表示させて、利用者による背景指定の受付を行う（ステップＳ６）。
【００５５】
図８（ｂ）は、背景指定画面８１の一例であり、画面上段にはカーテン４３ａ、ｂのいずれかを選択するためのアイコン８２ａ、ｂが表示され、その下段には、背景ユニットを配置させるべき位置の選択肢のアイコン８３ａ〜ｃが表示されている。なお、下段に表示される「前」のアイコン８３ａは、近位置に、「後ろ」のアイコン８３ｂは、遠位置に、「真ん中」のアイコン８３ｃは、近位置と遠位置の中央付近の位置にそれぞれ対応付けられている。
【００５６】
この背景指定画面８１では、当初、上段のアイコン８２ａ、ｂがアクティブとなっており、操作パネル２２上のカーソルボタンを操作することで、選択状態を表す太枠の表示がアイコン８２ａ、ｂ間で移行し、操作パネル２２の決定ボタンを操作することで選択が確定するようになっている。
【００５７】
また、上段のアイコン８２ａ、ｂの選択が確定すると、続いて、下段のアイコン８３ａ〜ｃがアクティブとなり、同様に、カーソルボタンの操作により選択状態を表す太枠の表示をアイコン８３ａ〜ｃ間で移行させて選択を行い、決定ボタンによりその選択を確定させることができる。
【００５８】
上記による背景指定が完了すると、モータ制御装置６８は、背景ユニット４０を自走させるためのモータを駆動して、背景ユニット４０をアイコン８３ａ〜ｃの選択により指定された位置に移動させるとともに、モータ４４ａ、ｂを駆動して、アイコン８２ａ、ｂの選択により指定されたカーテン４３ａ、ｂを撮影視野内に展開させることにより、背景のセッティングを行う（ステップＳ７）。
【００５９】
この間、利用者は、モニタ２０、２１により自身の写りを確認しながら背景ユニット４０の位置に応じて立ち位置を決めることができ、その後、ＣＰＵ６２は、上記と同様の態様で写真撮影を実行する（ステップＳ８）。
【００６０】
「マニュアルモード」の撮影セッションにおいても、所定回数、例えば、７回の写真撮影が可能になっており、ステップＳ９において、ＣＰＵ６２が所定回数の写真撮影が実行済みであると判断した場合には、撮影セッションは終了し、実行済みでなければ、次回の撮影のために、処理はステップＳ６に戻される。
【００６１】
図９（ａ）〜（ｃ）は、上記のような撮影セッションにおいて撮影された写真画像の一例を示す説明図であり、図９（ａ）、（ｂ）は、背景ユニットを遠位置に配置し、利用者の立ち位置をそれぞれ前方（筐体１０に近い位置）、及び、後方（筐体１０から遠い位置）として撮影した画像であり、図９（ｃ）は、背景ユニットを近位置に配置し、利用者の立ち位置を前方として撮影した画像である。
【００６２】
ここで、図９（ａ）と図９（ｂ）のような写真の組み合わせは、従来の自動写真撮影装置においても撮影することができたものであり、図９（ｃ）のような構図の写真、或いは、図９（ａ）と図９（ｃ）や、図９（ｂ）と図９（ｃ）のような写真の組み合わせは、本発明の自動写真撮影装置により初めて撮影することが可能となったものである。
【００６３】
そして、カーテン４３ａ、ｂとして、細かい模様が施されたカーテンを使用した場合や、メッシュやキルティングなど、独特の素材感の生地を用いたカーテンを使用した場合には、図９（ｃ）のように背景ユニットを近位置（或いは、なるべく前方）に配置して撮影を行うことにより、カーテンの細かい模様や素材の質感を鮮明に識別できる写真画像を得ることが可能となる。
【００６４】
また、図９（ａ）と図９（ｃ）の対比から明らかなように、写真中の人物の構図を変えることなく、背景のカーテンが遠くにある状態と、近くにある状態の写真を撮り分けて、背景の雰囲気を変化させることが可能であり、従って、使用するカーテンの本数を増加させることなく、撮影される背景の種類を増加させることが可能となる。
【００６５】
また、図９（ｂ）と図９（ｃ）の対比から明らかなように、写真中の背景の構図を変えることなく、人物の構図のみを全身写真にしたり、アップ写真にしたりすることが可能であり、これにより、カメラが人物に近付いたり、遠ざかったりしながら撮影したかのような組み合わせの写真を得ることが可能となっている。
【００６６】
撮影セッションが終了すると、液晶ディスプレイ１３上に「次はらくがきだよ」のような利用者を筐体１０の背面側に誘導するためのメッセージを表示させた後、編集入力の受付（ステップＳ１０）、及び、レイアウトの受付（ステップＳ１１）のステップを順次実行する。
【００６７】
編集入力の受付のステップ（ステップＳ１０）では、撮影セッションにおいて撮影された画像をタッチパネル式モニタ２５に表示させつつ、タッチペン２８ａ、ｂによる操作に応じて、上記画像に対する線画描画、スタンプ画像の貼付、フレーム処理などの編集を行いうるようにされており、レイアウト受付のステップ（ステップＳ１１）では、撮影され、或いは更に、ステップＳ１０における編集が加えられた画像、及び、推奨レイアウトがタッチパネル式モニタ２５上に表示され、利用者が印刷を希望する画像、及び、レイアウトをタッチペンタッチペン２８ａ、ｂにより選択することにより、画像印刷のレイアウトを設定できるようにされている。
【００６８】
レイアウトの設定の終了後、選択された画像、及び、レイアウトのデータは、ＣＰＵ６２によりプリンタ７２に送信されて写真プリントの印刷（ステップＳ１２）が実行され、印刷された写真プリントが不図示の写真排出口から利用者に提供される。
【００６９】
以上、本発明の一実施形態に係る自動写真撮影装置を例に本発明の説明を行ったが、本発明は、上記実施形態に限定されるものではなく、特許請求の範囲に記載の範囲において、種々の改変が可能である。
【００７０】
例えば、上記実施形態においては、背景ユニットとして、撮影手段の撮影視野内への展開と収納が可能とされたカーテンを使用する場合を説明したが、このようなカーテンに代えて、板状の背景部材を使用することで、背景の質感をカーテンを使用する場合とは大幅に変えることが可能である。
【００７１】
この場合、背景ユニット４０から柱状の部材を撮影ブース内に垂下させ、当該柱状の部材に、例えば、蝶番などを介して上記板状の背景部材を１枚、或いは、複数枚、回転可能に取り付けることが可能であり、この場合には、背景ユニット４０の自走により、撮影手段から板状の背景部材までの距離を変更させることができることに加えて、板状の背景部材を柱状の部材の周りに回転させることで、撮影手段から見た板状の背景部材の角度を変えたり、複数の板状の背景部材間で、背景として使用する板状の背景部材を変更したりするなども行い得るようになるため、より多様な態様の背景を楽しむことができる。
【００７２】
また、上記実施形態では、背景ユニットが背景ユニットに搭載されるモータにより軌道上を自走する場合を説明したが、背景ユニット外に設けたモータなどの駆動手段により、背景ユニットを前後に牽引するようにすることも可能であり、或いは、背景ユニットに持ち手や引き紐を取り付けるなどにより、利用者が手動で背景ユニットを移動させるようにすることも可能である。
【００７３】
また、上記実施形態においては、背景ユニットに２本のカーテンが収容されている場合を説明したが、使用するカーテンの本数は任意であり、背景ユニットに１本、或いは、３本以上のカーテンを収容するものとすることが可能であり、或いは更に、背景ユニットに収容されるカーテンに加えて、近位置よりも前方、或いは、遠位置よりも後方などの適宜の位置に撮影ブースに固定されたカーテンなどの追加的な背景手段を設けることも可能である。
【図面の簡単な説明】
【００７４】
【図１】本発明の一実施形態に係る自動写真撮影装置の内部構造を示す一部切り欠き側面説明図。
【図２】本発明の一実施形態に係る自動写真撮影装置が備える筐体の正面図。
【図３】本発明の一実施形態に係る自動写真撮影装置が備える筐体の背面図。
【図４】本発明の一実施形態に係る自動写真撮影装置が備える背景ユニットの底面図。
【図５】展開状態にあるカーテン４３ａ、ｂの形状と、左側光センサー、及び、右側光センサーの設置位置Ｐ１、Ｐ２の関係を示す説明図。
【図６】本発明の一実施形態に係る自動写真撮影装置のシステム構成を示す説明図。
【図７】本発明の一実施形態に係る自動写真撮影装置の動作を説明するフローチャートである。
【図８】（ａ）は、撮影モード選択画面の一例を示す説明図。（ｂ）は、図８（ｂ）は、背景指定画面の一例を示す説明図。
【図９】本発明の一実施形態に係る自動写真撮影装置により撮影される例示的な撮影画像を示す説明図。
【符号の説明】
【００７５】
１ 自動写真撮影装置
１０ 筐体
１１、１２ カメラ
１３ 液晶ディスプレイ
１４ ハーフミラー
１５ 表示窓
１６、１７ フラッシュライト
１８、１９ 拡散窓
２０、２１ モニタ
２２ 操作パネル
２３ コイン投入口
２４ スピーカ
２５ タッチパネル式モニタ
２６ タッチパネル
２７ 液晶ディスプレイ
２８ａ、ｂ タッチペン
２９ スピーカ
３０ 撮影ブース
３１ 天井部
３２ 背面部
３３ 軌道
４０ 背景ユニット
４１ 車輪
４２ 横梁部材
４３ａ、ｂ カーテン
４４ａ、ｂ モータ
４５ａ、ｂ、４７ａ、ｂ 発光素子
４６ａ、ｂ、４８ａ、ｂ 受光素子
４９ ガイド
５０ 切り欠き部
６０ パーソナルコンピュータ
６１ バス
６２ ＣＰＵ
６３ ＲＯＭ
６４ ＲＡＭ
６５ インターフェース
６６ ハードディスク
６７ ＣＤ−ＲＯＭドライブ
６８ モータ制御装置
６９ 照明制御装置
７０ 音響制御装置
７１ コイン処理部
７２ プリンタ
８０ 撮影モード選択画面
８１ カーテン選択画面
【図１】
2006154194.tif 000003
【図２】
2006154194.tif 000004
【図３】
2006154194.tif 000005
【図４】
2006154194.tif 000006
【図５】
2006154194.tif 000007
【図６】
2006154194.tif 000008
【図７】
2006154194.tif 000009
【図８】
2006154194.tif 000010
【図９】
2006154194.tif 000011